(57)【要約】【課題】組み立てが容易なスティック型掃除機用収納ユニットを提供する。【解決手段】スティック型掃除機（図示せず）の上部を収納すると共に第１の挿入口６を有する収納体３と、床面に載置されると共に第２の挿入口５を有する台座１と、略筒状の金属から成り、上端を前記第１の挿入口６に、下端を前記第２の挿入口５にそれぞれ挿入することで前記収納体３と前記台座１を連結する支柱２からなり、前記支柱２の両端に蓋体４を備えたもので、硬い金属の支柱２の端が樹脂の台座１、収納体３に食い込み樹脂壁面を削りながら挿入される為、支柱２への台座１、収納体３の取り付けが非常に困難であるという課題を解決し、支柱２の両端への台座１、収納体３の取り付けを容易に行うことができる。【選択図】図５
2019217117.tif 000002
【特許請求の範囲】
【請求項１】
スティック型掃除機の上部を収納すると共に第１の挿入口を有する収納体と、床面に載置されると共に第２の挿入口を有する台座と、略筒状の金属から成り、上端を前記第１の挿入口に、下端を前記第２の挿入口にそれぞれ挿入することで前記収納体と前記台座を連結する支柱からなり、前記支柱の両端に蓋体を備えたスティック型掃除機用収納ユニット。
【請求項２】
蓋体を樹脂で形成した請求項１に記載のスティック型掃除機用収納ユニット。
【請求項３】
蓋体の外周部を支柱内壁面に沿って前記支柱内方に向けて凹状に、前記蓋体の中央部を前記支柱の外方に向けて突出させて断面略Ｍ字形状とし、前記突出した中央部に貫通孔を形成した請求項１又は２に記載のスティック型掃除機用収納ユニット。
【請求項４】
蓋体の突出した中央部を、前記蓋体の外周部よりも支柱内方に向けて低く設けたことを特徴とする請求項３に記載のスティック型掃除機用収納ユニット。
【請求項５】
吸込み面を備えるノズルと、前記ノズルと回動自在に組み合わせられる延長管と、前記延長管と組み合わせられる本体ユニットと、前記本体ユニットと組み合わせられる電池と、前記本体ユニットに内蔵された電動送風機と、前記本体ユニットと組み合わせられる集塵ユニットとを備え、請求項１〜４のいずれか１項に記載のスティック型掃除機用収納ユニットに収納可能なスティック型掃除機。
【発明の詳細な説明】
【技術分野】
【０００１】
本発明は、スティック型掃除機を直立した状態で収容できるスティック型掃除機用収納ユニット及びスティック型掃除機に関するものである。
【背景技術】
【０００２】
縦長形状のスティック型掃除機をリビングなどの居住空間に形成される比較的狭い空間に直立した状態で収納することができる従来のスティック型掃除機用収納ユニットは、樹脂製の台座と、スティック型掃除機を収納する収納体と、筒状の金属からなり前記台座と前記収納体を連結する支柱から構成されている（例えば、特許文献１、２参照）。
【先行技術文献】
【特許文献】
【０００３】
【特許文献１】特開２０１７−１５８９３３号公報
【特許文献２】中国実用新案公告第２０６４７３２６８号明細書
【発明の概要】
【発明が解決しようとする課題】
【０００４】
しかしながら、上記特許文献１、２に記載されたような従来のスティック型掃除機用収納ユニットにおいては、支柱が筒状の金属でその両端に樹脂製の台座、収納体を取り付けることから、硬い金属の支柱の端が樹脂の台座、収納体に食い込み樹脂壁面を削りながら挿入される為、支柱への台座、収納体の取り付けが非常に困難であるという課題を有していた。
【０００５】
本発明は、前記従来の課題を解決するもので、支柱への台座、収納体の取り付けが非常に容易なスティック型掃除機用収納ユニット及びスティック型掃除機を提供することを目的とする。
【課題を解決するための手段】
【０００６】
前記従来の課題を解決するために、本発明のスティック型掃除機用収納ユニットは、スティック型掃除機の上部を収納すると共に第１の挿入口を有する収納体と、床面に載置されると共に第２の挿入口を有する台座と、略筒状の金属から成り、上端を前記第１の挿入口に、下端を前記第２の挿入口にそれぞれ挿入することで前記収納体と前記台座を連結する支柱からなり、前記支柱の両端に蓋体を備えたもので、蓋体により硬い金属の支柱の端が樹脂製の台座、収納体に食い込んで樹脂壁面を削ることがなく、支柱の両端への台座、収納体の取り付けを容易に行うことができる。
【０００７】
また、本発明のスティック型掃除機は、吸込み面を備えるノズルと、前記ノズルと回動自在に組み合わせられる延長管と、前記延長管と組み合わせられる本体ユニットと、前記本体ユニットと組み合わせられる電池と、前記本体ユニットに内蔵された電動送風機と、前記本体ユニットと組み合わせられる集塵ユニットとを備え、請求項１〜４のいずれか１項に記載のスティック型掃除機用収納ユニットに収納可能としたもので、スティック型掃除機用収納ユニットの組み立てが容易になるので、スティック型掃除機の収納性が向上する。
【発明の効果】
【０００８】
本発明のスティック型掃除機用収納ユニットは、支柱両端への台座、収納体の取り付けを容易に行うことができると共に、収納性に優れたスティック型掃除機を提供することが
できる。
【図面の簡単な説明】
【０００９】
【図１】本発明の実施の形態１におけるスティック型掃除機用収納ユニットの斜視図
【図２】同スティック型掃除機用収納ユニットの右側面図
【図３】同スティック型掃除機用収納ユニットの上面図
【図４】同スティック型掃除機用収納ユニットの台座の斜視図
【図５】図３のＡ−Ａ断面図
【図６】図３のＢ−Ｂ断面図
【図７】図３のＣ部の拡大図
【図８】同スティック型掃除機用収納ユニットにスティック型掃除機を収納した状態を示す斜視図
【図９】同スティック型掃除機用収納ユニットの支柱の側断面図
【発明を実施するための形態】
【００１０】
第１の発明は、スティック型掃除機の上部を収納すると共に第１の挿入口を有する収納体と、床面に載置されると共に第２の挿入口を有する台座と、略筒状の金属から成り、上端を前記第１の挿入口に、下端を前記第２の挿入口にそれぞれ挿入することで前記収納体と前記台座を連結する支柱からなり、前記支柱の両端に蓋体を備えたもので、蓋体により硬い金属の支柱の端が樹脂製の台座、収納体に食い込んで樹脂壁面を削ることがなく、支柱の両端への台座、収納体の取り付けを容易に行うことができる。
【００１１】
第２の発明は、特に、第１の発明の蓋体を樹脂で形成したもので、支柱の両端への台座、収納体の取り付けがさらに容易になる。
【００１２】
第３の発明は、特に、第１又は第２の発明の蓋体の外周部を支柱内壁面に沿って前記支柱内方に向けて凹状に、前記蓋体の中央部を前記支柱の外方に向けて突出させて断面略Ｍ字形状とし、前記突出した中央部に貫通孔を形成したもので、支柱両端の蓋体の貫通孔を通して筒状の支柱内に充電用アダプターのプラグ、コードを通す作業を非常に楽に行うことが出来る。先ず支柱両端の一方の蓋体の貫通孔に充電用アダプターのプラグ、コードを通す作業は、特に問題なく蓋体の貫通孔に通すことが出来るが、他端の蓋体の貫通孔にプラグ、コードを通す作業は、支柱両端を隔てた作業となり非常に困難となるが、蓋体の外周部は支柱内壁面に沿って支柱内方に向けて凹状に、中央部は支柱外方に向けて突出した断面略Ｍ字形状とし、前記突出した中央部に貫通孔を形成している為、プラグ、コードが前記突出した中央部の貫通孔に向けて滑り込むように突出した壁面に沿って入っていくことで非常に楽にプラグ、コードを蓋体の貫通孔に通すことができる。
【００１３】
第４の発明は、特に、第３の発明の蓋体の突出した中央部を、前記蓋体の外周部よりも支柱内方に向けて低く設けたもので、支柱両端への台座、収納体の取り付け時に突出した中央部が台座、収納体の壁面に当接して挿入できないなどの問題を防止することができる。
【００１４】
第５の発明に係るスティック型掃除機は、吸込み面を備えるノズルと、前記ノズルと回動自在に組み合わせられる延長管と、前記延長管と組み合わせられる本体ユニットと、前記本体ユニットと組み合わせられる電池と、前記本体ユニットに内蔵された電動送風機と、前記本体ユニットと組み合わせられる集塵ユニットとを備え、請求項１〜４のいずれか１項に記載のスティック型掃除機用収納ユニットに収納可能としたもので、スティック型掃除機用収納ユニットの組み立てが容易になるので、スティック型掃除機の収納性が向上する。
【００１５】
以下、本発明の実施の形態について、図面を参照しながら説明する。なお、この実施の形態によって本発明が限定されるものではない。
【００１６】
（実施の形態１）
図１は、本発明の実施の形態１におけるスティック型掃除機用収納ユニットの斜視図、図２は、同スティック型掃除機用収納ユニットの右側面図、図３は、同スティック型掃除機用収納ユニットの上面図、図４は、同スティック型掃除機用収納ユニットの台座の斜視図、図５は、図３のＡ−Ａ断面図、図６は、図３のＢ−Ｂ断面図、図７は、図３のＣ部の拡大図、図８は、同スティック型掃除機用収納ユニットにスティック型掃除機を収納した状態を示す斜視図、図９は、同スティック型掃除機用収納ユニットの支柱の側断面図である。
【００１７】
図１〜図９において、本実施の形態におけるスティック型掃除機用収納ユニット１００（以下「収納ユニット１００」という）は、床面（図示せず）に載置される台座１と、スティック型掃除機２００の上部を収納する収納体３と、下端が台座１に、上端が収納体３にそれぞれ連結接続される支柱２で構成されている。
【００１８】
支柱２は、筒状の金属で両端に蓋体４が取り付けられている（図５参照）。台座１の上面には、支柱２の下端が着脱自在に挿入される第２の挿入口５が、収納体３の下面には、支柱２の上端が着脱自在に挿入される第１の挿入口６がそれぞれ設けられている。
【００１９】
蓋体４の外周部は、支柱２の内壁面に沿って支柱２の内方に向けて凹状に、中央部７は支柱２の外方に向けて突出した断面略Ｍ字形状に形成されている。前記突出した中央部７には貫通孔８が形成されており、支柱２の両端の蓋体４の貫通孔８を通して筒状の支柱２内に充電用アダプター（図示せず）のプラグ９、コード１０を通す作業を行い、充電用アダプターのプラグ９は、最終的に図６に示すように収納体３に固定されスティック型掃除機２００を収納ユニット１００に収納することで充電用アダプターのプラグ９は、スティック型掃除機２００の本体ユニット１１に接続され充電が開始するようになっている。
【００２０】
本実施の形態におけるスティック型掃除機２００は、吸込み面（図示せず）を備えるノズル１２と、同、ノズル１２と回動自在に接続された延長管１３と、延長管１３と接続された本体ユニット１１と、本体ユニット１１に組み付けされた電池１４と、本体ユニット１１に内蔵された電動送風機１５と、本体ユニット１１に取り付けられた集塵ユニット１６とで構成されている。
【００２１】
支柱２内に充電用アダプターのプラグ９、コード１０を通す作業は、先ず支柱２の両端の一方の蓋体４の貫通孔８に充電用アダプターのプラグ９、コード１０を通し、次に他端の蓋体４の貫通孔８にプラグ９、コード１０を通して行う作業は、支柱２の両端を隔てた作業となり非常に困難となるが、蓋体４の外周部は、支柱２の内壁面に沿って支柱２の内方に向けて凹状に、中央部７は、支柱２の外方に向けて突出した断面略Ｍ字形状とし、前記突出した中央部７に貫通孔８を形成している為、プラグ９、コード１０が前記突出した中央部７の貫通孔８に向けて滑り込むように突出した壁面に沿って入っていくことで非常に楽にプラグ９、コード１０を蓋体４の貫通孔８に通すことができる。
【００２２】
また、蓋体４は、樹脂で形成されており、支柱２が筒状の金属で両端に樹脂で形成した蓋体４を備えたことにより、硬い金属の支柱２の端が樹脂製の台座１、収納体３に食い込み樹脂壁面を削りながら挿入される為、支柱２への台座１、収納体３の取り付けが非常に困難になることを防止して、支柱２の両端に樹脂で形成した蓋体４を介して台座１、収納体３を取り付けることで支柱２の両端への台座１、収納体３の取り付けを容易に行うことができるものである。
【００２３】
そして、蓋体４を形成する樹脂材料としては、一般的に削れ難く、滑り性の良いポリプロピレン樹脂の成形体であることが望ましい。また、蓋体４の突出した中央部７は、蓋体４の外周部よりも支柱２の内方に向けて低く設けられており、支柱２の両端への台座１、収納体３の取り付け時に突出した中央部７が台座１、収納体３の壁面に先当たりして挿入できないなどの問題を防止することができる。
【００２４】
台座１の上面には、図４に示すように各種アタッチメント（図示せず）を挿入するための挿入口１７が設けられている。
【００２５】
以上のように、本実施の形態においては、支柱２の両端に蓋体４を備えたことにより、硬い金属の支柱２の端が樹脂製の台座１、収納体３に食い込み樹脂壁面を削りながら挿入されることにより、支柱２への台座１、収納体３の取り付けが非常に困難になることを防止して、支柱２の両端に蓋体４を介して台座１、収納体３を取り付けることで支柱２の両端への台座１、収納体３の取り付けを容易に行うことができる。
【産業上の利用可能性】
【００２６】
以上のように、本発明に係るスティック型掃除機用収納ユニットは、組み立てが非常に容易で、家庭用および業務用をはじめとする各種スティック型掃除機に適用できる。
【符号の説明】
【００２７】
１  台座
２  支柱
３  収納体
４  蓋体
５  第２の挿入口
６  第１の挿入口
７  中央部
８  貫通孔
９  プラグ
１０  コード
１１  本体ユニット
１２  ノズル
１３  延長管
１４  電池
１５  電動送風機
１６  集塵ユニット
１７  挿入口
１００  スティック型掃除機用収納ユニット（収納ユニット）
２００  スティック型掃除機
【図１】
2019217117.tif 000003
【図２】
2019217117.tif 000004
【図３】
2019217117.tif 000005
【図４】
2019217117.tif 000006
【図５】
2019217117.tif 000007
【図６】
2019217117.tif 000008
【図７】
2019217117.tif 000009
【図８】
2019217117.tif 000010
【図９】
2019217117.tif 000011